(57)【要約】【課題】印刷要求を行う場合の操作を簡素化することのできる携帯端末及び印刷要求方法を提供すること。【解決手段】携帯端末１０は、携帯端末１０を振る動作を検出する動作検出部１１１と、一又は複数のドキュメントを印刷対象として選択する選択処理部１１３と、前記動作検出部１１１により前記携帯端末１０の振る動作が検出されたときに前記選択処理部１１３で選択されている前記ドキュメントの印刷要求を画像形成装置２０に送信する送信処理部１１４とを備える。【選択図】図１
2015228061.tif 000002
【特許請求の範囲】
【請求項１】
携帯端末を振る動作を検出する動作検出部と、
一又は複数のドキュメントを印刷対象として選択する選択処理部と、
前記動作検出部により前記携帯端末の振る動作が検出されたときに前記選択処理部で選択されている前記ドキュメントの印刷要求を送信する送信処理部と、
を備える携帯端末。
【請求項２】
複数の前記ドキュメントを選択候補として表示部に表示させる表示処理部と、前記表示部に表示されている前記ドキュメントを選択するタッチ操作を検出するタッチ検出部とを更に備え、
前記選択処理部が、前記タッチ検出部で検出されているタッチ操作により選択中の一又は複数の前記ドキュメントを選択する請求項１に記載の携帯端末。
【請求項３】
複数の前記ドキュメントを選択候補として表示部に表示させる表示処理部と、前記表示部に表示されている前記ドキュメントを選択するタッチ操作を検出するタッチ検出部とを更に備え、
前記選択処理部が、前記タッチ検出部で検出されているタッチ操作により選択中の二つの前記ドキュメントと二つの前記ドキュメントの間に表示されている一又は複数の前記ドキュメントとを選択する請求項１に記載の携帯端末。
【請求項４】
複数の前記ドキュメントを選択候補として表示部に表示させる表示処理部と、前記表示部に表示されている前記ドキュメントを選択するタッチ操作を検出するタッチ検出部とを更に備え、
前記選択処理部が、前記タッチ検出部で検出されているタッチ操作により選択中の一又は複数の前記ドキュメントを選択する第１の選択モードと、前記タッチ検出部で検出されているタッチ操作により選択中の二つの前記ドキュメントと二つの前記ドキュメントの間に表示されている一又は複数の前記ドキュメントとを選択する第２の選択モードとを選択的に実行可能である請求項１に記載の携帯端末。
【請求項５】
一又は複数のドキュメントを印刷対象として選択する操作を受け付ける選択処理部を備える携帯端末で実行される印刷要求方法であって、
前記携帯端末を振る動作を検出するステップと、
前記ステップにより前記携帯端末を振る動作が検出されたときに前記選択処理部で選択されている前記ドキュメントの印刷要求を送信するステップと、
を含む印刷要求方法。
【発明の詳細な説明】
【技術分野】
【０００１】
本発明は、ドキュメントの印刷要求を送信可能な携帯端末及び携帯端末における印刷要求方法に関する。
【背景技術】
【０００２】
例えば携帯電話機のような携帯端末において、振動センサー又は加速度センサーなどを用いて携帯端末の動きを検出し、その動きに対応する情報を入力する技術が知られている（例えば、特許文献１参照）。
【先行技術文献】
【特許文献】
【０００３】
【特許文献１】特開２００５−３３２１１８号公報
【発明の概要】
【発明が解決しようとする課題】
【０００４】
ところで、近年では画像形成装置に印刷要求を送信可能な携帯端末が知られている。この種の携帯端末では、操作画面において、印刷対象となる一又は複数のドキュメントを選択した後、印刷開始に対応する操作キーを操作することになる。しかしながら、この場合には、印刷開始のための操作キーを探して操作する必要があり、その操作が煩わしいことが問題となる。
【０００５】
本発明の目的は、印刷要求を行う場合の操作を簡素化することのできる携帯端末及び印刷要求方法を提供することにある。
【課題を解決するための手段】
【０００６】
本発明の一の局面に係る携帯端末は、動作検出部と、選択処理部と、送信処理部とを備える。前記動作検出部は、前記携帯端末を振る動作を検出する。前記選択処理部は、一又は複数のドキュメントを印刷対象として選択する操作を受け付ける。前記送信処理部は、前記動作検出部により前記携帯端末の振る動作が検出されたときに前記選択処理部で選択されている前記ドキュメントの印刷要求を送信する。
を備える携帯端末
【０００７】
本発明の他の局面に係る印刷要求方法は、一又は複数のドキュメントを印刷対象として選択する操作を受け付ける選択処理部を備える携帯端末で実行される印刷要求方法である。前記印刷要求方法は、前記携帯端末を振る動作を検出するステップと、前記ステップにより前記携帯端末を振る動作が検出されたときに前記選択処理部で選択されている前記ドキュメントの印刷要求を送信するステップとを含む。
【発明の効果】
【０００８】
本発明によれば、印刷要求を行う場合の操作を簡素化することのできる携帯端末及び印刷要求方法が実現される。
【図面の簡単な説明】
【０００９】
【図１】図１は、本発明の実施形態に係る印刷システムの構成を示すブロック図である。
【図２】図２は、本発明の実施形態に係る携帯端末で実行される印刷要求処理の一例を示すフローチャート。
【図３】図３（Ａ）及び図３（Ｂ）は、本発明の第１の実施形態に係る携帯端末で実行される印刷要求処理の実行結果の一例を示す図。
【図４】図４（Ａ）及び図４（Ｂ）は、本発明の第２の実施形態に係る携帯端末で実行される印刷要求処理の実行結果の一例を示す図。
【発明を実施するための形態】
【００１０】
以下、添付図面を参照しながら本発明の実施の形態について説明し、本発明の理解に供する。なお、以下の実施の形態は、本発明を具体化した一例であって、本発明の技術的範囲を限定する性格のものではない。
【００１１】
＜印刷システム１＞
図１に示すように、本発明の実施の形態に係る印刷システム１は、携帯端末１０及び画像形成装置２０を備える。携帯端末１０及び画像形成装置２０は、Ｂｌｕｅｔｏｏｔｈ（登録商標）の近距離無線通信規格に従って通信可能である。なお、携帯端末１０及び画像形成装置２０は、無線ＬＡＮ規格などの他の通信規格に従ってネットワークを介して通信可能であってもよい。
【００１２】
＜携帯端末１０＞
携帯端末１０は、図１に示すように、制御部１１、記憶部１２、操作表示部１３、通信部１４、及び動作検出センサー１５などを備える。携帯端末１０は、ユーザーによって持ち運ばれる移動通信端末であって、例えばスマートフォン、携帯電話、タブレット端末、又はＰＤＡ等である。
【００１３】
制御部１１は、不図示のＣＰＵ、ＲＯＭ、ＲＡＭ、及びＥＥＰＲＯＭなどの制御機器を備え、ＲＯＭに記憶されている制御プログラムをＣＰＵを用いて実行することにより、携帯端末１０の動作を制御する。なお、制御部１１は、集積回路（ＡＳＩＣ）などの電子回路であってもよい。
【００１４】
記憶部１２は、フラッシュメモリー等の不揮発性の記憶部であり、制御部１１は、記憶部１２に対する情報の読み書きが可能である。具体的に、記憶部１２には、制御部１１によって実行される各種の制御プログラムが記憶される。また、記憶部１２には、画像形成装置２０から受信するスキャンデータ、又は画像形成装置２０に送信可能な各種のドキュメントなども記憶される。なお、本実施形態で「ドキュメント」と称する情報は、画像形成装置２０で印刷可能な文書、表、画像、又は写真などの各種コンテンツを含む情報である。
【００１５】
操作表示部１３は、制御部１１からの制御指示に基づいて各種の情報を表示する液晶ディスプレーなどの表示部と、前記表示部に表示されている操作キーのユーザーによるタッチ操作を検出するタッチパネルを含む操作部とを備える。ここで、前記操作表示部１３が有する前記タッチパネルは、複数のタッチ操作を同時に検出可能なマルチタッチ機能を有する。なお、操作表示部１３が表示部及びタッチ検出部の一例である。
【００１６】
通信部１４は、画像形成装置２０などの外部機器との間で、予め定められた無線通信規格に従って通信処理を実行する。具体的に、通信部１４は、クラス２と称される電波強度（２．５ｍＷ）で約１０ｍの範囲に存在する外部通信機器との間でＢｌｕｅｔｏｏｔｈ（登録商標）による無線通信を実行可能である。なお、Ｂｌｕｅｔｏｏｔｈ方式のデータ通信手法については従来周知であるため、ここでは説明を省略する。また、通信部１４は、ＮＦＣ（Ｎｅａｒ  Ｆｉｅｌｄ  Ｃｏｍｍｕｎｉｃａｔｉｏｎ）などの他の近距離無線通信規格、又はＩＥＥＥ規格などの無線ＬＡＮ規格に従って通信可能であってもよい。例えば、通信部１４は、１３．５６ＭＨｚの周波数帯を用いて、携帯端末１０から約１０ｃｍの通信範囲に存在する外部通信機器との間でＮＦＣによる無線通信を実行することが考えられる。
【００１７】
動作検出センサー１５は、例えば携帯端末１０の水平方向及び鉛直方向（上下左右方向又は前後方向）への動きを検出する３軸型の加速度センサーであり、携帯端末１０を振る動作の有無及び振る動作の方向を検出する。なお、動作検出センサー１５は、携帯端末１０を振る動作を検出することができれば、一又は複数の振動センサー、加速度センサー、又は変位センサー等を用いてもよい。
【００１８】
＜画像形成装置２０＞
画像形成装置２０は、図１に示すように、制御部２１、記憶部２２、ＡＤＦ２３、画像読取部２４、画像形成部２５、操作表示部２６、及び通信部２７などを備える複合機である。例えば、画像形成装置２０は、プリント機能、ファクス機能、スキャン機能、及びコピー機能などの複数の機能を有する。なお、画像形成装置２０は、プリンター、ファクシミリ装置、及びコピー機のような画像形成装置であってもよい。
【００１９】
制御部２１は、不図示のＣＰＵ、ＲＯＭ、ＲＡＭ、及びＥＥＰＲＯＭなどの制御機器を備え、ＲＯＭに記憶されている制御プログラムをＣＰＵを用いて実行することにより、画像形成装置２０の動作を制御する。なお、制御部２１は、集積回路（ＡＳＩＣ）などの電子回路であってもよい。
【００２０】
具体的に、制御部２１は、携帯端末１０又はパーソナルコンピューターなどの外部装置から受信するドキュメント、又は記憶部２２に記憶されているドキュメントを画像形成部２５によって印刷するプリントジョブを実行する。
【００２１】
記憶部２２は、ＳＳＤ（ソリッドステートドライブ）又はＨＤＤ（ハードディスクドライブ）などの記憶部であり、制御部２１は、記憶部２２に対する情報の読み書きが可能である。具体的に、記憶部２２には、制御部２１によって実行される各種の制御プログラムが記憶される。また、記憶部２２には、携帯端末１０から受信するドキュメントなども記憶される。
【００２２】
ＡＤＦ２３は、読取対象のシートを自動搬送する自動原稿搬送装置である。また、画像読取部２４は、ＡＤＦ２３で搬送されるシート又は原稿台に載置されたシートからＣＣＤ又はＣＩＳなどの撮像素子を用いて画像データを読み取ることが可能である。画像形成部２５は、電子写真方式又はインクジェット方式で、画像データに基づいてシートに画像を形成することが可能である。
【００２３】
操作表示部２６は、制御部２１からの制御指示に基づいて各種の情報を表示する液晶ディスプレーなどの表示部と、ユーザーによる各種の入力操作を受け付けるタッチパネルなどの操作部とを備える。
【００２４】
通信部２７は、携帯端末１０などの外部機器との間で、予め定められた無線通信規格に従って通信処理を実行する。具体的に、通信部２７は、クラス２と称される電波強度（２．５ｍＷ）で約１０ｍの範囲に存在する外部通信機器との間でＢｌｕｅｔｏｏｔｈ（登録商標）による無線通信を実行可能である。なお、Ｂｌｕｅｔｏｏｔｈ方式のデータ通信手法については従来周知であるため、ここでは説明を省略する。また、通信部２７は、ＮＦＣ（Ｎｅａｒ  Ｆｉｅｌｄ  Ｃｏｍｍｕｎｉｃａｔｉｏｎ）などの他の近距離無線通信規格、又はＩＥＥＥ規格などの無線ＬＡＮ規格に従って通信可能であってもよい。例えば、通信部２７は、携帯端末１０と同様に、１３．５６ＭＨｚの周波数帯を用いて、画像形成装置２０から約１０ｃｍの通信範囲に存在する外部通信機器との間でＮＦＣによる無線通信を実行することが考えられる。
【００２５】
ところで、印刷システム１において、携帯端末１０では、画像形成装置２０に印刷要求を送信することが可能である。このとき、携帯端末１０の操作画面において、印刷対象となる一又は複数のドキュメントを選択した後、印刷開始に対応する操作キーの操作を要する場合には、その操作キーを探して操作する手間が生じる。これに対し、本実施形態に係る携帯端末１０では、以下に説明するように、印刷要求を行う場合の操作が簡素化される。
【００２６】
具体的に、制御部１１は、前記ＲＯＭに記憶されている制御プログラムを前記ＣＰＵを用いて実行することにより、動作検出部１１１、表示処理部１１２、選択処理部１１３、及び送信処理部１１４として機能する。
【００２７】
動作検出部１１１は、動作検出センサー１５を用いて、携帯端末１０を振る動作の有無を検出するための処理を実行する。表示処理部１１２は、複数のドキュメントを選択候補として操作表示部１３に表示させる。選択処理部１１３は、一又は複数のドキュメントを印刷対象として選択する。送信処理部１１４は、動作検出部１１１により携帯端末１０の振る動作が検出されたときに選択処理部１１３で選択されている一又は複数のドキュメントの印刷要求を画像形成装置２０に送信する。
【００２８】
［印刷要求処理］
以下、図２のフローチャートを参照しつつ、印刷システム１において、制御部１１が制御プログラムに従って実行する印刷要求処理の手順の一例について説明する。前記印刷要求処理は、例えば、携帯端末１０においてドキュメントの印刷を開始するための操作、又はドキュメントを参照するための操作などのように印刷対象の候補となるドキュメントの一覧が表示される操作が行われた場合に制御部１１によって実行される。なお、本発明は、制御部１１によって印刷要求処理の各手順を実行する印刷要求方法の発明として捉えることも可能である。
【００２９】
＜ステップＳ１１＞
まず、ステップＳ１１において、制御部１１は、予め定められた画像形成装置２０との通信が確立しているか否かを判断する。そして、制御部１１は、画像形成装置２０との通信が確立していると判断している場合に（Ｓ１１のＹｅｓ側）、ステップＳ１２以後の処理を実行する。一方、制御部１１は、画像形成装置２０との通信が確立していない場合は（Ｓ１１のＮｏ側）、ステップＳ１２以後の処理を実行することなく、ステップＳ１１の判断処理を繰り返し実行する。
【００３０】
＜ステップＳ１２＞
続いて、ステップＳ１２において、制御部１１は、一又は複数のドキュメントを印刷対象として選択するための選択画面を操作表示部１３に表示させる。なお、前記選択画面には、一又は複数のドキュメントが選択候補として表示される。このステップＳ１２の処理は、制御部１１の表示処理部１１２によって実行される。
【００３１】
具体的に、制御部１１は、携帯端末１０の記憶部１２に記憶されているドキュメント、又は画像形成装置２０の記憶部２２に記憶されているドキュメントを選択候補として操作表示部１３に表示させることが可能である。なお、複数の画像形成装置２０との通信が確立している場合、制御部１１は操作表示部１３のユーザー操作に応じていずれか１つの画像形成装置を選択する。また、制御部１１は、画像形成装置２０の記憶部２２においてユーザー毎に対応付けられた個人フォルダーから、携帯端末１０に対応付けられたユーザーに対応する個人フォルダーを特定し、その個人フォルダーに記憶されているドキュメントを読み出すことが考えられる。
【００３２】
ここに、図３は、前記選択画面の一例を示す図である。図３（Ａ）に示すように操作表示部１３には、印刷対象となる一又は複数のドキュメントの選択候補が表示される候補表示領域１３１が表示されている。具体的に、図３（Ａ）に示す例では、候補表示領域１３１に、「００１．ｊｐｇ」、「００２．ｄｏｃ」、「００３．ｇｉｆ」、「００４．ｘｌｓ」、及び「００５．ｊｐｇ」の５つのドキュメントが表示されている。また、図３（Ａ）に示す例では、ドキュメントのうち「００１．ｊｐｇ」及び「００４．ｘｌｓ」の二つのドキュメントが、ユーザーによって二本の指でタッチ操作され、印刷対象として選択された状態が示されている。また、前記選択画面において、ユーザーは三本以上の指で同時に三つ以上のドキュメントを選択することも可能である。なお、図３（Ｂ）は、ドキュメントの表示配列が異なる例を示す図であり、候補表示領域１３１に、「００１．ｊｐｇ」、「００２．ｄｏｃ」、「００３．ｇｉｆ」、「００４．ｘｌｓ」、「００５．ｊｐｇ」、「００６．ｄｏｃ」、「００７．ｄｏｃ」、「００８．ｄｏｃ」、及び「００９．ｄｏｃ」の９つのドキュメントのうち「００２．ｄｏｃ」及び「００７．ｄｏｃ」が選択された状態が示されている。
【００３３】
＜ステップＳ１３＞
次に、ステップＳ１３において、制御部１１は、動作検出センサー１５を用いて携帯端末１０を振る動作が検出されたか否かを判断する。なお、このステップＳ１３の処理は、制御部１１の動作検出部１１１によって実行される。ここで、携帯端末１０を振る動作とは、例えば携帯端末１０を一方向に移動させる動作、又は携帯端末１０を一方向に移動させた後引き戻す一連の往復動作であることが考えられる。また、制御部１１は、携帯端末１０を複数回往復移動させる動作を振る動作として認識してもよい。そして、制御部１１は、携帯端末１０を振る動作が検出されたと判断すると（Ｓ１３のＹｅｓ側）、処理をステップＳ１４に移行させる。一方、携帯端末１０を振る動作が検出されていないと判断している間（Ｓ１３のＮｏ側）、制御部２１はステップＳ１３の判断処理を繰り返し実行する。
【００３４】
＜ステップＳ１４＞
ステップＳ１４において、制御部１１は、操作表示部１３で現在選択中のドキュメントに応じて印刷対象となるドキュメントを選択する。具体的に、制御部１１は、携帯端末１０の振る動作が検出されたときに操作表示部１３で検出されているタッチ操作により選択されている一又は複数のドキュメントの全てを印刷対象として選択する。このステップＳ１４の処理は、制御部１１の選択処理部１１３で実行される。
【００３５】
＜ステップＳ１５＞
その後、ステップＳ１５において、制御部１１は、ステップＳ１４で選択された全ての前記ドキュメントについて印刷を実行する旨の印刷要求を画像形成装置２０に送信する。このステップＳ１４の処理は、制御部１１の送信処理部１１４によって実行される。なお、ステップＳ１４において、制御部１１は、ステップＳ１１で通信が確立していると判断された通信相手である画像形成装置２０に前記印刷要求を送信する。
【００３６】
例えば携帯端末１０の記憶部１２内に記憶されているドキュメントについては、ステップＳ１５において、制御部１１が、携帯端末１０の記憶部１２から前記ドキュメントと共に印刷要求を画像形成装置２０に送信する。また、画像形成装置２０の記憶部２２内に記憶されているドキュメントについては、ステップＳ１５において、制御部１１が、前記ドキュメントを識別するためのファイル名又はパス名などの識別情報と共に印刷要求を画像形成装置２０に送信する。なお、画像形成装置２０の記憶部２２内に記憶されているドキュメントがそのままでは画像形成装置２０で印刷できないデータ形式である場合には、制御部１１が、前記ドキュメントを読み出して画像形成装置２０で印刷可能なデータ形式に変換してから画像形成装置２０に送信することも考えられる。
【００３７】
以上説明したように、携帯端末１０では、ユーザーが、印刷要求を行うための操作キーを探して操作する必要がなく、携帯端末１０を振る動作によって簡単且つスムーズに印刷要求を送信することができる。また、携帯端末１０では、携帯端末１０を振る動作が行われたときに選択中であるドキュメントを印刷対象として選択して印刷要求を送信するため、事前にドキュメントを選択するという操作を行う必要がない。即ち、ユーザーは、印刷対象となるドキュメントをタッチ操作しながら携帯端末１０を振るという動作のみによってそのドキュメントを簡単に印刷することができる。また、携帯端末１０では、操作表示部１３の操作画面に印刷要求を行うための操作キーを表示する必要もなくなる。なお、携帯端末１０において、前記選択画面で予めドキュメントの選択を確定するための操作が行われ、その後に携帯端末１０の振る動作が行われた場合に、制御部１１によって画像形成装置２０に印刷要求が送信されてもよい。
【００３８】
［第２の実施形態］
前記第１の実施形態では、携帯端末１０の操作表示部１３に表示される前記選択画面（図３参照）においてタッチ操作が行われている一又は複数のドキュメントが印刷対象として選択される場合を例に挙げて説明した。本実施形態では、図４を参照しつつ、前記選択画面における印刷対象の選択方法の他の例について説明する。ここに、図４（Ａ）及び図４（Ｂ）は、前記選択画面の他の例を示す図であって、図４（Ａ）及び図４（Ｂ）はドキュメントの表示配列が異なる例を示している。
【００３９】
具体的に、制御部１１は、ステップＳ１４において、操作表示部１３に表示されている複数のドキュメントのうち選択されている二つのドキュメントと、その二つのドキュメントの間に表示されている一又は複数のドキュメントとを印刷対象として選択する。即ち、二つのドキュメントの選択により印刷対象として選択するドキュメントの範囲が指定される。
【００４０】
例えば、図４（Ａ）に示す例では、「００１．ｊｐｇ」、「００２．ｄｏｃ」、「００３．ｇｉｆ」、「００４．ｘｌｓ」、及び「００５．ｊｐｇ」のドキュメントのうち「００１．ｊｐｇ」及び「００４．ｘｌｓ」の二つのドキュメントが、ユーザーによって二本の指でタッチ操作された状態が示されている。この場合、「００１．ｊｐｇ」及び「００４．ｘｌｓ」の二つのドキュメントと、「００１．ｊｐｇ」及び「００４．ｘｌｓ」の二つのドキュメントで挟まれた「００２．ｄｏｃ」及び「００３．ｇｉｆ」の二つのドキュメントとの合計四つのドキュメントが印刷対象として選択される。
【００４１】
同じく、図４（Ｂ）に示す例では、「００１．ｊｐｇ」、「００２．ｄｏｃ」、「００３．ｇｉｆ」、「００４．ｘｌｓ」、「００５．ｊｐｇ」、「００６．ｄｏｃ」、「００７．ｄｏｃ」、「００８．ｄｏｃ」、及び「００９．ｄｏｃ」のドキュメントのうち「００２．ｄｏｃ」及び「００７．ｄｏｃ」の二つのドキュメントが、ユーザーによって二本の指でタッチ操作された状態が示されている。この場合、「００２．ｄｏｃ」及び「００７．ｄｏｃ」の二つのドキュメントと、「００２．ｄｏｃ」及び「００７．ｄｏｃ」の二つのドキュメントで挟まれた「００３．ｊｐｇ」、「００４．ｘｌｓ」、「００５．ｊｐｇ」、「００６．ｐｄｆ」の四つのドキュメントとの合計六つのドキュメントが印刷対象として選択される。
【００４２】
［第３の実施形態］
また、携帯端末１０において、前記第１の実施形態と前記第２の実施形態との選択手法を切り替え可能な構成が他の実施形態として考えられる。具体的に、前記第１の実施形態で説明したように、前記操作表示部１３で検出されているタッチ操作により選択中の一又は複数のドキュメントを選択する選択モードが第１の選択モードとして予め設定される。また、前記第２の実施形態で説明したように、前記操作表示部１３で検出されているタッチ操作により選択中の二つのドキュメントとその二つのドキュメントの間に表示されている一又は複数のドキュメントとを選択する選択モードが第２の選択モードとして予め設定される。そして、制御部１１は、前記第１の選択モードと前記第２の選択モードとを選択的に実行する。
【００４３】
例えば、制御部１１は、携帯端末１０の初期設定におけるユーザー操作に応じて、前記第１の選択モードと前記第２の選択モードとを切り替えることが考えられる。また、制御部１１は、前記選択画面（図３又は図４参照）に前記第１の選択モードと前記第２の選択モードとを切り替える操作キーを表示させ、その操作キーの操作に応じて前記第１の選択モードと前記第２の選択モードとを切り替えることも考えられる。さらに、制御部１１は、前記操作画面において、予め定められた操作待ち時間内に複数のドキュメントが選択された場合には、前記第１の選択モードを実行し、前記操作待ち時間を超えて二つのドキュメントが選択された場合には、前記第２の選択モードを実行することが考えられる。
【符号の説明】
【００４４】
１  ：印刷システム
１０：携帯端末
１１：制御部
１３：操作表示部
１５：動作検出センサー
２０：画像形成装置
２１：制御部
【図１】
2015228061.tif 000003
【図２】
2015228061.tif 000004
【図３】
2015228061.tif 000005
【図４】
2015228061.tif 000006